(57)【要約】【課題】２次元コードの配置を柔軟に変更することができる画像形成装置を提供することを課題とする。【解決手段】スキャナ部１４は、原稿２０を一枚読み取り画像データ１４１を作成する。画像データ１４１が表側画像データ２１の場合（ステップＳ１０２でＹｅｓ）、表側画像データ２１は、メモリ１１２に記憶される。画像データ１４１が裏側画像データ２２の場合（ステップＳ１０２でＮｏ）、コード情報処理部１１３は、裏側コード２２１を裏側画像データ２２から切り出す。画像合成部１１４は、表側画像データ２１に、裏側コード２２１と、裏側コード２２１であることを示す識別メッセージ２２２を追加し（ステップＳ１１０）、裏側画像データ２２に識別メッセージ２２２を追加する（ステップＳ１１１）。表側画像データ２１、裏側画像データ２２が両面印刷され、２次元コードが集約されたコピー文書３０が出力される。【選択図】図５
2009251168.tif 000002
【特許請求の範囲】
【請求項１】
印刷用紙の裏面に印刷される裏側画像データに含まれる裏側コード情報を抽出するコード情報処理部と、
前記印刷用紙の表面に印刷される表側画像データと、抽出された前記裏側コード情報とを合成し、合成画像データを作成する画像合成部と、
前記合成画像データを前記印刷用紙の表面に印刷し、前記裏側画像データを前記印刷用紙の裏面に印刷する印刷部と、
を備えることを特徴とする画像形成装置。
【請求項２】
請求項１に記載の画像形成装置において、
前記コード情報処理部は、
前記表側画像データに含まれる表側コード情報の表示領域を特定する表側コード領域特定部、
を含み、
前記画像合成部は、前記裏側コード情報を前記表側コード情報の表示領域に重ならない位置に配置して、前記合成画像データを作成することを特徴とする画像形成装置。
【請求項３】
請求項１に記載の画像形成装置において、
前記コード情報処理部は、
前記表側画像データに含まれる表側コード情報を抽出する表側コード情報抽出部、
を含み、
前記画像合成部は、
前記表側画像データを縮小して縮小画像データを作成する画像縮小部、
を含み、
前記画像合成部は、前記縮小画像データと、抽出された前記表側コード情報と、抽出された前記裏側コード情報とを互いに重ならない位置に配置して前記合成画像データを作成することを特徴とする画像形成装置。
【請求項４】
請求項３に記載の画像形成装置において、さらに、
前記縮小画像データに含まれる前記表側コード情報を、前記表側コード情報を識別する識別情報に置き換える表側コード置き換え部、
を備えることを特徴とする画像形成装置。
【請求項５】
請求項１ないし請求項４のいずれかに記載の画像形成装置において、さらに、
前記裏側画像データに含まれる前記裏側コード情報を、前記裏側コード情報を識別する識別情報に置き換える裏側コード置き換え部、
を備えることを特徴とする画像形成装置。
【発明の詳細な説明】
【技術分野】
【０００１】
本発明は、印刷用紙の両面に画像データを印刷する画像形成装置に関する。
【背景技術】
【０００２】
文書データまたは画像データなどの原稿データを印刷する際に、原稿データとともに２次元コードを印刷することが従来から行われている。２次元コードには、たとえば、原稿データの作成者名、変更履歴、保存先情報などの原稿データに関する情報が記録されている。たとえば、ユーザは、印刷用紙に印刷された２次元コード画像を読み取って、印刷物の原本となるデータを取得することができる。
【０００３】
また、２次元コードに関連する技術が特許文献１に開示されている。特許文献１に係る画像形成装置は、２次元コードが印刷された印刷物を縮小コピーする際に、印刷物に対応する画像データから２次元コードを抽出する。そして、縮小された画像データと、等倍の２次元コードとが印刷領域に配置されることによって、コピー文書が作成される。
【０００４】
【特許文献１】特開２００６−２５９０４５号公報
【発明の開示】
【発明が解決しようとする課題】
【０００５】
上述したように、特許文献１に係る画像形成装置は、２次元コードが印刷された印刷物を縮小コピーする際に、２次元コードのみを等倍にしてコピー文書を作成する。これにより、２次元コードを含む画像データが縮小されることによって２次元コードの読み取りができなくなることを防いでいる。このような機能は、２次元コードが印刷された複数ページの原稿を一枚の印刷用紙にまとめてコピーする集約コピーなどに用いられることを想定している。
【０００６】
また、ユーザは、各ページに異なる２次元コードが印刷された印刷物を両面コピーすることがある。この場合、印刷用紙の表面および裏面に異なる２次元コードがそれぞれ印刷される。しかし、両面に２次元コードが印刷された印刷用紙から２次元コードを読み取る場合、ユーザは、表面の２次元コードを読み取る作業と、裏面の２次元コードを読み取る作業とを行わなければならない。このように、２次元コードが印刷された印刷物を両面コピーした結果、２次元コードの読み取り作業が煩雑になるおそれがあった。
【０００７】
そこで、本発明は前記問題点に鑑み、２次元コードの配置を柔軟に変更することができる画像形成装置を提供することを目的とする。
【課題を解決するための手段】
【０００８】
上記課題を解決するため、請求項１記載の発明は、印刷用紙の裏面に印刷される裏側画像データに含まれる裏側コード情報を抽出するコード情報処理部と、前記印刷用紙の表面に印刷される表側画像データと、抽出された前記裏側コード情報とを合成し、合成画像データを作成する画像合成部と、前記合成画像データを前記印刷用紙の表面に印刷し、前記裏側画像データを前記印刷用紙の裏面に印刷する印刷部と、を備えることを特徴とする。
【０００９】
請求項２記載の発明は、請求項１に記載の画像形成装置において、前記コード情報処理部は、前記表側画像データに含まれる表側コード情報の表示領域を特定する表側コード領域特定部、を含み、前記画像合成部は、前記裏側コード情報を前記表側コード情報の表示領域に重ならない位置に配置して、前記合成画像データを作成することを特徴とする。
【００１０】
請求項３記載の発明は、請求項１に記載の画像形成装置において、前記コード情報処理部は、前記表側画像データに含まれる表側コード情報を抽出する表側コード情報抽出部、を含み、前記画像合成部は、前記表側画像データを縮小して縮小画像データを作成する画像縮小部、を含み、前記画像合成部は、前記縮小画像データと、抽出された前記表側コード情報と、抽出された前記裏側コード情報とを互いに重ならない位置に配置して前記合成画像データを作成することを特徴とする。
【００１１】
請求項４記載の発明は、請求項３に記載の画像形成装置において、さらに、前記縮小画像データに含まれる前記表側コード情報を、前記表側コード情報を識別する識別情報に置き換える表側コード置き換え部、を備えることを特徴とする。
【００１２】
請求項５記載の発明は、請求項１ないし請求項４のいずれかに記載の画像形成装置において、さらに、前記裏側画像データに含まれる前記裏側コード情報を、前記裏側コード情報を識別する識別情報に置き換える裏側コード置き換え部、を備えることを特徴とする。
【発明の効果】
【００１３】
本発明に係る画像形成装置は、裏側画像データに含まれる裏側コード情報を抽出し、裏側コード情報と表側画像データとを合成した合成画像データを作成する。合成画像データは印刷用紙の表面に印刷され、裏側画像データは印刷用紙の裏面に印刷される。これにより、印刷用紙の一方の面にコード情報をまとめて印刷できるため、コード情報の読み取りを容易にすることができる。
【００１４】
また、本発明の画像形成装置は、合成画像データを作成する際に、表側コード情報と重ならない位置に裏側コード情報を配置する。これにより、表側コード情報と裏側コード情報とを読み取る際に、エラーの発生を防ぐことができる。
【００１５】
また、本発明の画像形成装置は、合成画像データを作成する際に、表側コード情報と、裏側コード情報と、表側画像データを縮小した縮小画像データとを、互いに重ならない位置に配置する。これにより、裏側コード情報が表側画像データと重ならない状態で印刷されるため、裏側コード情報の読み取り時にエラーの発生を防ぐことができる。
【発明を実施するための最良の形態】
【００１６】
｛第１の実施の形態｝
以下、図面を参照しつつ本発明の第１の実施の形態について説明する。本実施の形態では、本発明の画像形成装置の一例として、複写機について説明する。図１は、本実施の形態に係る複写機１の構成を示すブロック図である。
【００１７】
図１に示す複写機１は、両面コピーをする際に、２次元コードを印刷用紙の片面に集約する機能を有している。複写機１は、制御部１１と、操作部１２と、タッチパネル式ディスプレイ１３と、スキャナ部１４と、プリンタ部１５とを備える。
【００１８】
制御部１１は、両面コピー管理部１１１と、メモリ１１２と、コード情報処理部１１３と、画像合成部１１４と、マイクロプロセッサ（図示省略）とを備える。マイクロプロセッサは、複写機１の全体制御を行う。
【００１９】
操作部１２は、複写機１に対する各種の指示を入力するためのハードウェアキーなどで構成される。タッチパネル式ディスプレイ１３は、複写機１に関する情報、および各種の操作メニューを表示する。ユーザは、操作部１２およびタッチパネル式ディスプレイ１３を利用して、複写機１の各種操作をすることが可能である。
【００２０】
スキャナ部１４は、ＡＤＦ（Ａｕｔｏ  Ｄｏｃｕｍｅｎｔ  Ｆｅｅｄｅｒ）等にセットされた原稿２０の片面を読み取り、各ページに対応する画像データ１４１、１４１・・・を出力する。プリンタ部１５は、両面印刷機能を有しており、スキャナ部１４が作成した画像データ１４１を各種の設定条件に応じて印刷用紙に印刷する。
【００２１】
次に、制御部１１の各機能部について説明する。両面コピー管理部１１１は、スキャナ部１４が作成した画像データ１４１を、印刷用紙の表面に印刷する表側画像データ２１とするか、裏面に印刷する裏側画像データ２２とするかを判定する。メモリ１１２は、ＲＡＭ（Ｒａｎｄｏｍ  Ａｃｃｅｓｓ  Ｍｅｍｏｒｙ）などで構成されており、スキャナ部１４が作成した画像データ１４１などを一時的に記憶する。コード情報処理部１１３は、２次元コードに関する処理を行う。２次元コードとしては、たとえば、ＱＲコード（登録商標）などが用いられる。画像合成部１１４は、コード情報処理部１１３が抽出した２次元コードと、表側画像データ２１とを合成する。
【００２２】
以下、上述のような構成を有する複写機１が両面コピーを実行する際の処理の流れについて、詳しく説明する。
【００２３】
まず、ユーザは、スキャナ部１４のＡＤＦに原稿２０をセットする。操作部１２またはタッチパネル式ディスプレイ１３から、両面コピーに関する設定情報が入力される。このとき、ユーザは、２次元コードの配置に関する設定情報を、２次元コード配置設定画面１３１から入力する。
【００２４】
図２は、タッチパネル式ディスプレイ１３に表示される２次元コード配置設定画面１３１の一例を示す図である。図２に示すように、ユーザは、選択ボタン１３２を用いて、通常モード、２次元コード表側集約モード、２次元コード領域作成モードのうちいずれか一つを選択する。決定ボタン１３３が押されることにより、ユーザが選択したモードが、２次元コードの配置に関する設定情報として入力される。
【００２５】
なお、第１の実施の形態では、２次元コード表側集約モードについて詳しく説明し、２次元コード領域作成モードについては、第２の実施の形態で詳しく説明する。なお、通常モードは、通常の両面コピーであるため、詳細な説明を省略する。
【００２６】
図３は、原稿２０の一例を示す図である。図３に示すように、原稿２０の１枚目２０１の片面に表側画像データ２１が印刷され、２枚目２０２の片面に裏側画像データ２２が印刷されている。表側画像データ２１、裏側画像データ２２には、各画像データに関する情報が記録された２次元コードとして、表側コード２１１、裏側コード２２１がそれぞれ配置されている。
【００２７】
図４は、２次元コード表側集約モードによって原稿２０が両面コピーされたコピー文書３０を示す図である。コピー文書３０の表面３１には、表側画像データ２１と、裏側コード２２１と、識別メッセージ２２２とが印刷されている。識別メッセージ２２２は、裏側コード２２１が裏側画像データ２２に対応する２次元コードであることを示しており、裏側コード２２１の下側に配置される。
【００２８】
また、コピー文書３０の裏面３２には、裏面画像データ２２が印刷されている。ただし、裏側コード２２１が識別メッセージ２２２に置き換えられている。このように、２次元コード表側集約モードでは、表側コード２１１および裏側コード２２１が表面３１に集約されて印刷される。
【００２９】
次に、ユーザは、操作部１２またはタッチパネル式ディスプレイ１３を操作して両面コピーの開始を指示する。これにより、複写機１は、両面コピーを開始する。まず、両面コピー管理部１１１は、コード管理情報２３を初期化する。コード管理情報２３とは、２次元コードに付与されたＩＤと、各画像データにおいて２次元コードが配置される領域を示す配置情報とを対応付けた情報である。その後、図５に示す処理が行われる。
【００３０】
図５は、２次元コード表側集約モード実行時における複写機１の処理の流れを示すフローチャートである。スキャナ部１４は、ＡＤＦにセットされた原稿２０を一枚読み取り、画像データ１４１を作成する（ステップＳ１０１）。スキャナ部１４は、原稿２０を一枚読み取るたびに、読み取り枚数をカウントしている。
【００３１】
次に、両面コピー管理部１１１は、画像データ１４１が表側画像データ２１であるか裏側画像データ２２であるかを判定する（ステップＳ１０２）。読み取り枚数が奇数の場合、画像データ１４１は表側画像データ２１であると判定される。読み取り枚数が偶数の場合、画像データ１４１は裏側画像データ２２であると判定される。
【００３２】
画像データ１４１が表側画像データ２１である場合（ステップＳ１０２においてＹｅｓ）、コード情報処理部１１３は、表側画像データ２１から表側コード２１１を検出し、表側コード２１１の配置情報を作成する（ステップＳ１０３）。両面コピー管理部１１１は、表側コード２１１にＩＤ「１」を付与して（ステップＳ１０４）、ＩＤ「１」と表側コード２１１の配置情報とを対応付ける。これにより、コード管理情報２３が更新される。表側画像データ２１が、メモリ１１２に記憶される（ステップＳ１０５）。
【００３３】
スキャナ部１４のＡＤＦに原稿が残っている場合（ステップＳ１０６においてＹｅｓ）、複写機１は、ステップＳ１０１に示す処理に戻る。一方、スキャナ部１４のＡＤＦに原稿がない場合（ステップＳ１０６においてＮｏ）、プリンタ部１５が表側画像データ２１を印刷する（ステップＳ１０７）ことで、図５に示す処理が終了する。
【００３４】
ここで、ステップＳ１０２の説明に戻る。画像データ１４１が裏側画像データ２２である場合（ステップＳ１０２においてＮｏ）、コード情報処理部１１３は、裏側コード２２１の配置情報を作成し、裏側コード２２１を裏側画像データ２２から切り出す（ステップＳ１０８）。両面コピー管理部１１１は、裏側コード２２１にＩＤ「２」を付与する（ステップＳ１０９）。ＩＤ「２」と裏側コード２２１の配置情報とが対応付けられることによって、コード管理情報２３が更新される。
【００３５】
次に、画像合成部１１４が、表側画像データ２１に、裏側コード２２１と識別メッセージ２２２とを追加する（ステップＳ１１０）。画像合成部１１４は、裏側コード２２１を、表側コード２１１と重ならないようにして表側画像データ２１に追加する。裏側コード２２１が追加される領域は、コード管理情報２３に記録された表側コード２１１の配置情報に基づいて決定される。また、追加された裏側コード２２１の下側に、識別メッセージ２２２が配置される。図４に示すように、識別メッセージ２２２は、裏側コード２２１のＩＤ「２」に対応した内容となっており、「２次元コードＮｏ．２」と記述される。
【００３６】
なお、表側コード２１１の下側に、表側コード２１１に対応する識別メッセージ２１２（後述する図６参照）を追加してもよい。この場合、識別メッセージ２１２は、表側コード２１１のＩＤ「１」に対応した内容であり、「２次元コードＮｏ．１」と記述される。
【００３７】
また、画像合成部１１４は、裏側画像データ２２の裏側コード２２１が配置されていた領域に、識別メッセージ２２２を追加する（ステップＳ１１１）。このとき、コード管理情報２３に記録された裏側コード２１１の配置情報が用いられる。
【００３８】
ステップＳ１１１に示す処理の後で、プリンタ部１５は、表側画像データ２１および裏側画像データ２２を用いて、両面印刷処理を実行する（ステップＳ１１２）。これにより、コピー文書３０が出力される。スキャナ部１４のＡＤＦに原稿２０が残っている場合（ステップＳ１１３においてＹｅｓ）、複写機１は、ステップＳ１０１に示す処理に戻る。なお、両面コピー管理部１１１は、両面印刷処理（ステップＳ１１２）の後でステップＳ１０１に示す処理に戻る際に、コード管理情報２３を初期化してもよい。一方、スキャナ部１４のＡＤＦに原稿がない場合（ステップＳ１１３においてＮｏ）、複写機１は、図５に示す処理を終了する。
【００３９】
以上説明したように、本実施の形態に係る複写機１は、各ページに２次元コードが印刷された原稿２０を両面コピーする際に、通常であればコピー文書３０の裏面３２に印刷される裏側コード２２１を、コピー文書３０の表面３１に印刷する。これにより、２次元コードを読み取る際のユーザの負担を低減することができる。
【００４０】
｛第２の実施の形態｝
以下、本発明の第２の実施の形態について、複写機を例にして説明する。本実施の形態に係る複写機の構成は、図１に示す複写機１と同じである。ただし、本実施の形態では、複写機１は、２次元コード領域作成モードに基づいてコピー文書４０を作成する。本実施の形態では、上記第１の実施の形態と同様の点についてはその詳細な説明を省略し、上述の２次元コード領域作成モードについて詳しく説明する。
【００４１】
図６は、２次元コード領域作成モードに基づいて作成されたコピー文書４０を示す図である。コピー文書４０の裏面４２では、コピー文書３０の裏面３２と同様に、裏側コード２２１に代えて識別メッセージ２２２が印刷されている。
【００４２】
しかし、コピー文書４０の表面４１は、表側画像データ２１に代えて合成画像データ２４が印刷されている。合成画像データ２４は、縮小された表側画像データ２１と、表側コード２１１と、裏側コード２２１と、識別メッセージ２１２、２２２とによって構成される。合成画像データ２４において、表側コード２１１および裏側コード２２１が、縮小された表側画像データ２１の外側に、互いに重ならない位置に配置されている。また、表側コード２１１および裏側コード２２１の下側には、各２次元コードをユーザが識別するための識別メッセージ２１２、２２２が配置されている。縮小された表側画像データ２１において、表側コード２１１が識別メッセージ２１２に置き換えられている。
【００４３】
２次元コード表側集約モードで作成されたコピー文書３０では、裏側コード２２１と、表側画像データ２１に描画された図形などとが重なることがある。この場合、裏側コード２２１の読み取りエラーが発生するおそれがある。一方、２次元コード領域作成モードで作成されたコピー文書４０は、裏側コード２２１が表側画像データ２１の外側に配置されるため、裏側コード２２１の読み取りエラーの発生を防ぐことができる。
【００４４】
以下、２次元コード領域作成モードにおける複写機１の動作について説明する。ユーザが２次元コード領域作成モードを選択し、両面コピーの開始を指示することによって、複写機１は、図７に示す処理を開始する。図７は、２次元コード領域作成モードにおける複写機１の処理の流れを示すフローチャートである。
【００４５】
まず、両面コピー管理部１１１は、コード管理情報２３を初期化する。スキャナ部１４は、原稿２０を一枚読み取り、画像データ１４１を作成する（ステップＳ２０１）。両面コピー管理部１１１は、画像データ１４１が表側画像データ２１であるか裏側画像データ２２であるかを判定する（ステップＳ２０２）。
【００４６】
画像データ１４１が表側画像データ２１である場合（ステップＳ２０２においてＹｅｓ）、コード情報処理部１１３は、表側コード２１１の配置情報を作成し、表側コード２１１を表側画像データ２１から切り出す（ステップＳ２０３）。両面コピー管理部１１１は、表側コード２１１にＩＤ「１」を付与する（ステップＳ２０４）。ＩＤ「１」と表側コード２１１の配置情報とが対応付けられることで、コード管理情報２３が更新される。表側画像データ２１と、切り出された表側コード２１１とは、メモリ１１２に記憶される（ステップＳ２０５）。ステップＳ２０６、Ｓ２０７に示す処理は、ステップＳ１０６、Ｓ１０７に示す処理と同様である。
【００４７】
一方、ステップＳ２０２において、画像データ１４１が裏側画像データ２２である場合（ステップＳ２０２においてＮｏ）、コード情報処理部１１３は、裏側コード２２１の配置情報を作成し、裏側コード２２１を裏側画像データ２２から切り出す（ステップＳ２０８）。両面コピー管理部１１１は、裏側コード２２１にＩＤ「２」を付与する（ステップＳ２０９）。ＩＤ「２」と、裏側コード２２１の配置情報とが対応付けられることによって、コード管理情報２３が更新される。
【００４８】
次に、コード情報処理部１１３は、表側コード２１１、裏側コード２２１を再生成する（ステップＳ２１０）。コード情報処理部１１３は、表側コード２１１をデコードして、表側コード２１１に記録されている記録情報を取得する。そして、コード情報処理部１１３は、記録情報と識別メッセージ２１２とを合わせた情報を、表側コード２１１として再生成する。裏側コード２２１についても、同様にして再生成される。なお、ステップＳ２１０に示す処理は、ユーザの設定などに応じて省略してもよい。
【００４９】
次に、画像合成部１１４が、表側画像データ２１と、表側コード２１１と、裏側コード２２１とを合成した合成画像データ２４を作成する（ステップＳ２１１）。画像合成部１１４は、コード管理情報２３を参照して、裏側画像データ２２の裏側コード２２１が配置されていた領域に、識別メッセージ２２２を追加する（ステップＳ２１２）。
【００５０】
ここで、ステップＳ２１１に示す処理について詳しく説明する。画像合成部１１４は、表側画像データ２１を縮小する。また、表側画像データ２１の元のサイズと同一サイズの白地の画像データを作成する。白地の画像データの左下側に縮小された表側画像データ２１が配置され、白地の画像データの上側に、再生成された表側コード２１１、裏側コード２２１が配置される。また、表側コード２１１の下側と、縮小した表側画像データ２１の表側コード２１１に対応する領域とに、識別メッセージ２１２が配置される。裏側コード２２１の下側に、識別メッセージ２２２が配置される。これにより、合成画像データ２４が作成される。
【００５１】
ステップＳ２１２に示す処理の後で、プリンタ部１５は、合成画像データ２４および裏側画像データ２１を用いて、両面印刷処理を実行する（ステップ２１３）。これにより、コピー文書４０が出力される。ステップＳ２１４に示す処理は、ステップＳ２１３に示す処理と同様であるため、その説明を省略する。
【００５２】
以上説明したように、本実施の形態に係る複写機１は、表側画像データ２１を縮小し、縮小した表側画像データ２１の外側に表側コード２１１および裏側コード２２１を配置する。これにより、コピー文書３０と比較して、裏側コード２２１を読み取る際のエラーを防ぐことができる。
【００５３】
また、本実施の形態に係る複写機１は、識別メッセージ２１２を含む表側コード２１１と、識別メッセージ２２２を含む裏側コード２２１とを再生成して、コピー文書４０に印刷する。このため、コピー文書４０の表面４１に印刷された表側コード２１１、裏側コード２２１を読み取った場合、取得した情報がどちらの画像データに対応するかをユーザはすぐに判別することができる。
【００５４】
また、本実施の形態において、表側コード２１１を、縮小した表側画像データ２１の外側に配置する例について説明したが、これに限られない。たとえば、複写機１は、表側コード２１１を縮小した表側画像データ２１に配置したままにしてもよい。しかし、表側画像データ２１の縮小に伴い、表側コード２１１の読み取り精度が低下する可能性がある。このため、表側画像データ２１の縮小によって、表側コード２１１のサイズが所定のサイズを下回る場合、複写機１は、表側コード２１１を縮小した表側画像データ２１の外側に配置すればよい。
【００５５】
また、上記実施の形態において、各ページに印刷されている２次元コードの数が一つである場合を例にして説明したが、これに限られない。たとえば、裏側画像データ２２に複数の裏側コード２２１、２２１・・・が配置されていてもよい。この場合、複写機１は、ステップＳ１０８（Ｓ２０８）、Ｓ１０９（Ｓ２０９）に示す処理を、裏側コード２２１の数だけ繰り返せばよい。表側画像データ２１についても同様である。
【００５６】
また、上記実施の形態において、各ページに２次元コードが印刷されている例について説明したが、これに限られない。たとえば、表側画像データ２１に表側コード２１１が配置されていなくてもよい。複写機１は、表側画像データ２１から表側コード２１１を検出できなかった場合、ステップＳ１０３（Ｓ２０３）〜Ｓ１０５（Ｓ２０５）に示す処理を省略すればよい。裏側画像データ２２についても同様である。
【００５７】
また、上記実施の形態において、片面印刷されている原稿２０を例にして説明したが、これに限られない。たとえば、スキャナ部１４のＡＤＦが原稿２０の両面を読み取ることができる場合、原稿２０の両面に表側画像データ２１、裏側画像データ２２が印刷されていてもよい。
【００５８】
また、上記実施の形態において、コード情報処理部１１３が、裏側コード２２１を切り出す例について説明したが、これに限られない。たとえば、コード情報処理部１１３は、ステップＳ１０８において裏側コード２２１を裏側画像データ２２に残しておいてもよい。この場合、裏側画像データ２２に追加される識別メッセージ２２２は、裏側コード２２１の下側に配置されればよい。表側コード２１１についても同様である。
【図面の簡単な説明】
【００５９】
【図１】本発明の実施の形態に係る複写機の構成を示すブロック図である。
【図２】２次元コードの配置を設定する画面を示す図である。
【図３】原稿の一例を示す図である。
【図４】２次元コード表側集約モードで作成されたコピー文書を示す図である。
【図５】第１の実施の形態に係る複写機の処理の流れを示すフローチャートである。
【図６】２次元コード領域作成モードで作成されたコピー文書を示す図である。
【図７】第２の実施の形態に係る複写機の処理の流れを示すフローチャートである。
【符号の説明】
【００６０】
１  複写機
１１  制御部
１２  操作部
１３  タッチパネル式ディスプレイ
１４  スキャナ部
１５  プリンタ部
１１１  両面コピー管理部
１１２  メモリ
１１３  コード情報処理部
１１４  画像合成部
【図１】
2009251168.tif 000003
【図２】
2009251168.tif 000004
【図３】
2009251168.tif 000005
【図４】
2009251168.tif 000006
【図５】
2009251168.tif 000007
【図６】
2009251168.tif 000008
【図７】
2009251168.tif 000009